(57)【要約】  【課題】  使用に最適な洗浄液の濃度や温度を再現することができる鼻洗浄器を提供すること。  【解決手段】  水栓２に接続可能な流路切換ユニット３０ａと、洗浄液を吐出する洗浄ユニット３０ｂと、両ユニット３０ａ，３０ｂを接続する接続ホース４とを備え、流路切換ユニット３０ａには、外部側に通じる流路Ｂと接続ホース側に通じる流路Ｃが形成されるとともに、水栓２内の吐水流路Ｄが前記外部側に通じる流路Ｂまたは前記接続ホース側に通じる流路Ｃのいずれかに連通するよう切換える切換手段が設けられ、洗浄ユニット３０ｂには、接続ホース４を通り内部に至る水と洗浄液とを混合させ、所定濃度の洗浄液を先端のノズル７から吐出させるよう構成された洗浄液吐出器８が設けられている。【選択図】    図３
2006314445.tif 000002
【特許請求の範囲】
【請求項１】
水栓に接続可能な流路切換ユニットと、洗浄液を吐出する洗浄ユニットと、両ユニットを接続する接続ホースとを備え、流路切換ユニットには、外部側に通じる流路と接続ホース側に通じる流路が形成されるとともに、水栓内の吐水流路が前記外部側に通じる流路または前記接続ホース側に通じる流路のいずれかに連通するよう切換える切換手段が設けられ、洗浄ユニットには、接続ホースを通り内部に至る水と洗浄液とを混合させ、所定濃度の洗浄液を先端のノズルから吐出させるよう構成された洗浄液吐出器が設けられていることを特徴とする鼻洗浄器。
【請求項２】
切換手段として、操作部材によって中心軸まわりに回転する可動ディスクと、可動ディスクに摺接可能な固定ディスクとが設けられ、固定ディスクは吐水流路に連通するよう貫通する孔を有し、可動ディスクは、外部側に通じる流路に連通可能なように貫通して形成された第１の孔と、接続ホース側に通じる流路に連通可能なように貫通して形成された第２の孔とを有する一方、洗浄液吐出器は、ノズル状の先端部分を下流端に有する洗浄液収容部と、洗浄液収容部の先端部分側を覆うとともに、接続ホースを通った水によって洗浄液収容部内の洗浄液が吸引された後前記水と前記洗浄液を混合してなる所定濃度の洗浄液を先端に設けたノズルから吐出させる洗浄液吐出部とを備え、この洗浄液吐出部には、接続ホースを通った水の入口が設けられ、また、洗浄液収容部の上流端には、洗浄液が封入してあるカートリッジが差し込まれたときに差し込み部分に孔を開けてカートリッジ内の洗浄液を洗浄液収容部内に流出させるためのピンが設けられ、さらに、洗浄液収容部を軸方向に移動させる操作部材が設けられ、前記入口の手前には、接続ホースを通って流れてくる水の流量調整を行うための流量調整手段が設けられている請求項１に記載の鼻洗浄器。
【請求項３】
切換手段として、操作部材によって中心軸まわりに回転する可動ディスクと、可動ディスクに摺接可能な固定ディスクとが設けられ、固定ディスクは吐水流路に連通するよう貫通する孔を有し、可動ディスクは、外部側に通じる流路に連通可能なように貫通して形成された第１の孔と、接続ホース側に通じる流路に連通可能なように貫通して形成された第２の孔とを有する一方、洗浄液吐出器は、細長に貫通した洗浄液導入孔が形成された洗浄液導入部と、この洗浄液導入部が連設されるとともに、接続ホースを通った水によって洗浄液導入部内の洗浄液が吸引された後前記水と前記洗浄液を混合してなる所定濃度の洗浄液を先端に設けたノズルから吐出させる洗浄液吐出部とを備え、この洗浄液吐出部には、接続ホースを通った水の入口が設けられ、また、洗浄液導入部の上流端には、洗浄液が封入してあるカートリッジが差し込まれたときに差し込み部分に孔を開けてカートリッジ内の洗浄液を前記洗浄液導入孔に流すためのピンが設けられている請求項１に記載の鼻洗浄器。
【請求項４】
洗浄液吐出器の先端のノズルは、スパイラル状または散布のいずれかの吐出状態に切換えできるよう構成されている請求項１〜３のいずれかに記載の鼻洗浄器。
【請求項５】
水栓に接続可能な流路切換ユニットと、水栓内の吐水流路からの水を先端に設けたノズルから吐出させる水吐出ユニットと、両ユニットを接続する接続ホースとを備え、流路切換ユニットには、外部側に通じる流路と接続ホース側に通じる流路が形成されるとともに、水栓内の吐水流路が前記外部側に通じる流路または前記接続ホース側に通じる流路のいずれかに連通するよう切換える切換手段が設けられ、水吐出ユニットには、接続ホースを通り内部に至る水を先端の前記ノズルから吐出させるよう構成された水吐出器が設けられていることを特徴とする鼻洗浄器。
【発明の詳細な説明】
【技術分野】
【０００１】
この発明は、水栓を利用した鼻洗浄器に関するものである。
【背景技術】
【０００２】
風邪、花粉症、アレルギー性鼻炎、蓄膿症あるいは慢性鼻炎などの予防や対策に用いられる鼻洗浄器として、従来、洗面所、浴室などに設置可能な大きさでスプレー式タイプのものが市販されている。
【発明の開示】
【発明が解決しようとする課題】
【０００３】
この鼻洗浄器は、専用の洗浄液（例えば食塩水）を決められた量の温水で薄めるだけで使用できるタイプのものであるが、使用に最適な洗浄液の濃度や温度を再現するのは難しい。
【０００４】
この発明は、上述の事柄に留意してなされたもので、その目的は、使用に最適な洗浄液の濃度や温度を再現することができる鼻洗浄器を提供することである。
【課題を解決するための手段】
【０００５】
上記目的を達成するために、この発明の鼻洗浄器は、水栓に接続可能な流路切換ユニットと、洗浄液を吐出する洗浄ユニットと、両ユニットを接続する接続ホースとを備え、流路切換ユニットには、外部側に通じる流路と接続ホース側に通じる流路が形成されるとともに、水栓内の吐水流路が前記外部側に通じる流路または前記接続ホース側に通じる流路のいずれかに連通するよう切換える切換手段が設けられ、洗浄ユニットには、接続ホースを通り内部に至る水と洗浄液とを混合させ、所定濃度の洗浄液を先端のノズルから吐出させるよう構成された洗浄液吐出器が設けられていることを特徴とする（請求項１）。
この発明において、洗浄液とは食塩水あるいは鼻洗浄用の薬液を意味する。
【０００６】
この発明において、切換手段として、操作部材によって中心軸まわりに回転する可動ディスクと、可動ディスクに摺接可能な固定ディスクとが設けられ、固定ディスクは吐水流路に連通するよう貫通する孔を有し、可動ディスクは、外部側に通じる流路に連通可能なように貫通して形成された第１の孔と、接続ホース側に通じる流路に連通可能なように貫通して形成された第２の孔とを有する一方、洗浄液吐出器は、ノズル状の先端部分を下流端に有する洗浄液収容部と、洗浄液収容部の先端部分側を覆うとともに、接続ホースを通った水によって洗浄液収容部内の洗浄液が吸引された後前記水と前記洗浄液を混合してなる所定濃度の洗浄液を先端に設けたノズルから吐出させる洗浄液吐出部とを備え、この洗浄液吐出部には、接続ホースを通った水の入口が設けられ、また、洗浄液収容部の上流端には、洗浄液が封入してあるカートリッジが差し込まれたときに差し込み部分に孔を開けてカートリッジ内の洗浄液を洗浄液収容部内に流出させるためのピンが設けられ、さらに、洗浄液収容部を軸方向に移動させる操作部材が設けられ、前記入口の手前には、接続ホースを通って流れてくる水の流量調整を行うための流量調整手段設けられるのが好ましい（請求項２）。
【０００７】
また、この発明において、切換手段として、操作部材によって中心軸まわりに回転する可動ディスクと、可動ディスクに摺接可能な固定ディスクとが設けられ、固定ディスクは吐水流路に連通するよう貫通する孔を有し、可動ディスクは、外部側に通じる流路に連通可能なように貫通して形成された第１の孔と、接続ホース側に通じる流路に連通可能なように貫通して形成された第２の孔とを有する一方、洗浄液吐出器は、細長に貫通した洗浄液導入孔が形成された洗浄液導入部と、この洗浄液導入部が連設されるとともに、接続ホースを通った水によって洗浄液導入部内の洗浄液が吸引された後前記水と前記洗浄液を混合してなる所定濃度の洗浄液を先端に設けたノズルから吐出させる洗浄液吐出部とを備え、この洗浄液吐出部には、接続ホースを通った水の入口が設けられ、また、洗浄液導入部の上流端には、洗浄液が封入してあるカートリッジが差し込まれたときに差し込み部分に孔を開けてカートリッジ内の洗浄液を前記洗浄液導入孔に流すためのピンが設けられるのが好ましい（請求項３）。
【０００８】
また、この発明では別の観点から、水栓に接続可能な流路切換ユニットと、水栓内の吐水流路からの水を先端に設けたノズルから吐出させる水吐出ユニットと、両ユニットを接続する接続ホースとを備え、流路切換ユニットには、外部側に通じる流路と接続ホース側に通じる流路が形成されるとともに、水栓内の吐水流路が前記外部側に通じる流路または前記接続ホース側に通じる流路のいずれかに連通するよう切換える切換手段が設けられ、水吐出ユニットには、接続ホースを通り内部に至る水を先端の前記ノズルから吐出させるよう構成された水吐出器が設けられていることを特徴とする鼻洗浄器を提供する（請求項５）。
【発明の効果】
【０００９】
この発明では、水栓に接続可能な流路切換ユニットと、洗浄液を吐出する洗浄ユニットと、両ユニットを接続する接続ホースとを備え、流路切換ユニットには、外部側に通じる流路と接続ホース側に通じる流路が形成されるとともに、水栓内の吐水流路が前記外部側に通じる流路または前記接続ホース側に通じる流路のいずれかに連通するよう切換える切換手段が設けられ、洗浄ユニットには、接続ホースを通り内部に至る水と洗浄液とを混合させ、所定濃度の洗浄液を先端のノズルから吐出させるよう構成された洗浄液吐出器が設けられているので、使用に最適な洗浄液の濃度や温度の再現性を向上させることができる。
【００１０】
また、この発明では、水栓に接続可能な流路切換ユニットと、水栓内の吐水流路からの水を先端に設けたノズルから吐出させる水吐出ユニットと、両ユニットを接続する接続ホースとを備え、流路切換ユニットには、外部側に通じる流路と接続ホース側に通じる流路が形成されるとともに、水栓内の吐水流路が前記外部側に通じる流路または前記接続ホース側に通じる流路のいずれかに連通するよう切換える切換手段が設けられ、水吐出ユニットには、接続ホースを通り内部に至る水を先端の前記ノズルから吐出させるよう構成された水吐出器が設けられているので、前記ノズルから吐出する水を鼻洗浄液として使用できるとともに、この発明の鼻洗浄器を例えば洗面所の水栓に接続した場合、鼻を洗浄しない場合でも、切換手段によって水栓内の吐水流路を前記外部側に通じる流路に連通させることにより、水吐出器の前記ノズルから吐出される水によって洗面ボールを洗浄することができる。
【発明を実施するための最良の形態】
【００１１】
以下、この発明の実施例を、図を参照しながら説明する。なお、それによってこの発明は限定されるものではない。
図１〜９は、この発明の第１の実施例を示す。図１〜９において、１は鼻洗浄器で、既設の、例えば洗面所Ａに設けたシングルレバー式の湯水混合水栓２の吐水口（カラン）３に着脱自在に接続される筒状のケースＳを備えた流路切換ユニット３０ａと、所定濃度の鼻洗浄液としての例えば食塩水を吐出する洗浄ユニット３０ｂと、両ユニット３０ａ，３０ｂを接続する接続ホース４とを備えている。前記流路切換ユニット３０ａには、外部側（例えば洗面ボール２９側）に通じる流路Ｂ（図４参照）と接続ホース側に通じる流路Ｃが形成されるとともに、水栓２内の吐水流路Ｄが、前記外部側に通じる流路Ｂまたは前記接続ホース側に通じる流路Ｃのいずれかに連通するよう切換える切換手段が設けられている。また、前記洗浄ユニット３０ｂには、吐水口３から接続ホース４を通り内部に至る水と、カートリッジ５に封入してある洗浄液（湯水混合水栓２からの水で薄める前の高濃度の食塩水）とを混合させ、湯水混合水栓２からの水で薄められた前記所定濃度の洗浄液を先端のテーパ状のノズル７から吐出させるよう構成された洗浄液吐出器８が設けられている。なお、この発明における前記水とは、湯水混合水栓２の吐水口３から吐水される湯水混合水も含む。３１は給湯器で、湯水混合水栓２に接続される湯配管３１ａに湯を供給する。３１ｂは湯水混合水栓２に接続される水配管である。
【００１２】
そして、前記切換手段として、つまみ９ａ付きの操作部材９によって中心軸まわりに回転する可動ディスク１０と、可動ディスク上面１０ａに摺接可能な固定ディスク１１とが設けられている。この固定ディスク１１は前記吐水流路Ｄに連通するよう上下に貫通する単一の孔１２を有し、可動ディスク１０は、外部側に通じる流路Ｂに連通可能なように上下に貫通して形成された第１の孔１３と、接続ホース側に通じる流路Ｃに連通可能なように上面１０ａおよび一側面１０ｂ間をＬ字状に貫通して形成された第２の孔１４とを有する。
また、前記洗浄液吐出器８は、ノズル状の先端部分１５を下流端に有する洗浄液収容部１６と、洗浄液収容部１６の先端部分１５側を覆うとともに、接続ホース４を通った水によって洗浄液収容部１６内の洗浄液が吸引された後前記水と前記洗浄液を混合してなる所定濃度の洗浄液を先端に設けた前記ノズル７から吐出させる洗浄液吐出部１７とを備えている。この洗浄液吐出部１７の上流側には、接続ホース４を通った水の入口１８が設けられ、前記ノズル７が下流端に設けられている。また、洗浄液収容部１６の上流端には、洗浄液が封入してあるカートリッジ５が差し込まれたときにカートリッジ５の差し込み部分１９に孔Ｈを開けてカートリッジ５内の洗浄液を洗浄液収容部１６内に流出させるためのピン２０が設けられている。
さらに、洗浄液吐出部１７は、ノズル状の先端部分１５の直下流側に絞り２１を有するとともに、洗浄液吐出部１７には、絞り２１の直上流側で洗浄液収容部１６の先端部分１５が位置する部分に環状のテーパ部分１７ａが形成されており、テーパ部分１７ａと先端部分１５間には水が噴出する環状の噴出開口２１ａが形成されている。図７における矢印Ｐは、前記噴出開口２１ａから噴出される水によって吸引されオリフィス２１を介して水と混合された洗浄液の流れを示す。
また、洗浄液吐出部１７は、絞り２１の下流側の混合室（水と薬液の混合室）２２に、絞り２１を通った水と洗浄液を攪拌して水に洗浄液を均一に混合させるための攪拌板２３を有する。また、洗浄液収容部１６を軸方向（両矢印Ｅで示す方向）に移動させる回動操作部材２４が設けられ、前記入口１８手前には、接続ホース４を通って流れてくる水の流量調整を行うための流量調整手段２５が設けられている。
【００１３】
２６は把手で、洗浄液吐出部１７の上流側の外周に洗浄液吐出部１７と一体に設けられている。２７はノズル７の外周面を覆うシリコン製で可撓性のカバーで、ノズル７の外周面の形状に対応する形状を内周面に有する。このカバー２７は取り外しし易いようにポチ２８が付いている。２９はカートリッジ５を覆うカバーである。３３は洗面所Ａの壁に設けた掛具で、カバー２９を介して洗浄液吐出器８が保持される。また、洗浄液吐出器８の先端のノズル７は、図８に示すような、洗浄効果を上げるためにスパイラル状に吐水されるスパイラルストレートと、図９に示すような散布のいずれかの吐出状態に切換えできるよう構成されている。なお、流路切換ユニット３０ａは、吐水口３に常時接続されていてもよいし、あるいは、鼻洗浄器１の使用時にだけ吐水口３に接続するようにしてもよい。
【００１４】
而して、使用時には、吐水口３に流路切換ユニット３０ａを接続するとともに、掛具３３から洗浄液吐出器８を取り出し、水栓２を吐水状態にして吐水口３から適度の温度の湯水混合水を吐水させる。一方、流路切換ユニット３０ａの操作部材９を接続ホース側に操作して前記湯水混合水を洗浄液吐出器８側に導入する。図７におけるｉは洗浄液吐出器８側に導入される湯水混合水の流路である。洗浄液吐出器８内において、洗浄液収容部１６内の洗浄液は、絞り２１手前の前記噴出開口２１ａから噴出される前記湯水混合水によって吸引され絞り２１を介して前記湯水混合水と洗浄液とが混合される。図７におけるｊは洗浄液収容部１６内の洗浄液の流路である。このとき、絞り２１を通った前記湯水混合水と洗浄液は高速の状態で、絞り２１の直下流に設けた攪拌板２３に導入され、攪拌により前記湯水混合水と洗浄液が均一に混合される。そのため、所定濃度の洗浄液を先端のノズル７から吐出させることができる。この場合、流量調整手段２５による流量調整と回動操作部材２４による洗浄液収容部１６のＥ方向の移動量により、ノズル７から吐出する洗浄液の濃度を管理できる。また、湯水混合水栓２を用いているので、湯水混合水の温度を、鼻粘膜に刺激を与えず皮膚感覚の良好な３８〜４０℃に設定できる。
【００１５】
一方、操作部材９を外部側に操作すると、前記湯水混合水を洗面ボール３４側に流出させることができる。
【００１６】
図１０、１１は、この発明の第２の実施例を示す。図１０、１１において、図１〜９に示した符号と同一のものは同一または相当物である。
【００１７】
図１０、１１において、洗浄液吐出器８は、細長に貫通した洗浄液導入孔（ノズル孔）４０が形成された洗浄液導入部４１と、この洗浄液導入部４１が連設されるとともに、接続ホース４を通った水栓２からの湯水混合水によって、カートリッジ５から導入される洗浄液導入部４１内の洗浄液が吸引された後前記湯水混合水と洗浄液とが均一に混合してなる所定濃度の洗浄液を先端に設けたノズル７から吐出させる洗浄液吐出部４２とを備えている。図１１におけるｉ’は洗浄液吐出部４２内に導入された湯水混合水の流路である。また、洗浄液導入部４１の上流端４４は、洗浄液が封入してあるカートリッジ５が差し込まれたときに差し込み部分４３に孔Ｈを開けてカートリッジ５内の洗浄液を洗浄液導入孔４０に流すためのピン形状に形成されている。なお、４５は洗浄液導入部４１に設けた空気吸入孔である。
【００１８】
なお、この発明では、水栓に接続可能な流路切換ユニットと、水栓内の吐水流路からの水を先端に設けたノズルから吐出させる水吐出ユニットと、両ユニットを接続する接続ホースとを備え、流路切換ユニットには、外部側に通じる流路と接続ホース側に通じる流路が形成されるとともに、水栓内の吐水流路が前記外部側に通じる流路または前記接続ホース側に通じる流路のいずれかに連通するよう切換える切換手段が設けられ、水吐出ユニットには、接続ホースを通り内部に至る水を先端の前記ノズル８から吐出させるよう構成された水吐出器を設けるよう構成することもできる。すなわち、上述したカートリッジ５を用いることなく、前記湯水混合水をノズル７から吐出して鼻を洗浄する構成を採用してもよい。
【図面の簡単な説明】
【００１９】
【図１】この発明の第１の実施例における使用状態を示す斜視図である。
【図２】上記実施例における要部分解斜視図である。
【図３】上記実施例を示す構成説明図である。
【図４】上記実施例における流路切換ユニットを示す構成説明図である。
【図５】上記実施例で用いた固定ディスクを示す平面図である。
【図６】上記実施例で用いた可動ディスクを示す平面図である。
【図７】上記実施例の動作を示す構成説明図である。
【図８】上記実施例の洗浄液吐出状態を示す斜視図である。
【図９】上記実施例の別の洗浄液吐出状態を示す斜視図である。
【図１０】この発明の第２の実施例を示す分解図である。
【図１１】上記第２の実施例を示す要部構成説明図である。
【符号の説明】
【００２０】
１          鼻洗浄器
２          湯水混合水栓
４          接続ホース
７          ノズル
８          洗浄液吐出器
３０ａ      流路切換ユニット
３０ｂ      洗浄ユニット
Ｂ          外部側に通じる流路
Ｃ          接続ホース側に通じる流路
Ｄ          吐水流路
【図１】
2006314445.tif 000003
【図２】
2006314445.tif 000004
【図３】
2006314445.tif 000005
【図４】
2006314445.tif 000006
【図５】
2006314445.tif 000007
【図６】
2006314445.tif 000008
【図７】
2006314445.tif 000009
【図８】
2006314445.tif 000010
【図９】
2006314445.tif 000011
【図１０】
2006314445.tif 000012
【図１１】
2006314445.tif 000013